(57)【要約】【課題】１つの入力器に対して複数のミキシング装置を並列に接続したミキシングシステムにおいてミキシング装置毎に独自にゲイン調整を行えるようにする。【解決手段】入力器１０に接続される複数の編集器２０ａ〜２０ｃにはディジタルヘッドアンプ２６ａ、２６ｂ…と、切換部２７ａ、２７ｂ・・・が設けられており、入力器１０に対して複数の編集器が接続されている場合は、入力器１０のヘッドアンプ１１に設定されているゲイン調整量をリセットし、編集器２０ａ〜２０ｃの操作部の操作に応じたゲイン調整量を、入力器１０のヘッドアンプ１１に供給することなく、当該ミキシング装置のディジタルヘッドアンプ２６ａ、２６ｂ…に供給し、自身のディジタルヘッドアンプでゲイン調整された音響信号に対してミキシング処理を行う。【選択図】図４
2008017538.tif 000002
【特許請求の範囲】
【請求項１】
１つの入力装置に複数のミキシング装置を並列に接続して構成されるミキシングシステムであって、
前記入力装置は、
入力装置側ゲイン調整量を設定し、且つ、当該入力装置に複数のミキシング装置が接続されたときに前記設定した入力装置側ゲイン調整量をリセットする入力装置の設定手段と、
前記入力装置の設定手段で設定した入力装置側ゲイン調整量に基づいて、当該入力装置に入力される音響信号のゲインを調整する入力装置の調整手段と、
前記入力装置の調整手段でゲインが調整された音響信号を当該入力装置に接続されているミキシング装置のすべてへ並列に供給する供給手段と
を備え、
前記ミキシング装置は、
ミキシング装置側ゲイン調整量を設定するミキシング装置の設定手段と、
前記ミキシング装置の設定手段で設定したミキシング装置側ゲイン調整量に基づいて、前記入力装置の供給手段によって供給される音響信号のゲインを調整するミキシング装置の調整手段と、
前記入力装置に複数のミキシング装置が接続されている場合には、前記ミキシング装置の設定手段で設定したミキシング装置側ゲイン調整量を、前記入力装置に供給することなく、前記ミキシング装置の調整手段に供給し、前記入力装置に他のミキシング装置が接続されていない場合には、前記ミキシング装置の設定手段で設定したミキシング装置側ゲイン調整量を、前記ミキシング装置の調整手段に供給することなく、前記入力装置に供給するゲイン調整量供給手段と、
前記入力装置に複数のミキシング装置が接続されている場合には、前記ミキシング装置の調整手段によってゲインが調整された音響信号に対してミキシング処理を行い、前記入力装置に他のミキシング装置が接続されていない場合には、前記ミキシング装置の調整手段によるゲインの調整を行うことなく、前記入力装置の供給手段から供給される音響信号に対してミキシング処理を行うミキシング手段と
を備えることを特徴とするミキシングシステム。
【請求項２】
１つの入力装置に複数のミキシング装置を並列に接続して構成されるミキシングシステムにおける入力装置であって、
入力装置側ゲイン調整量を設定し、且つ、当該入力装置に複数のミキシング装置が接続されたときに前記設定した入力装置側ゲイン調整量をリセットする入力装置の設定手段と、
前記入力装置の設定手段で設定した入力装置側ゲイン調整量に基づいて、当該入力装置に入力される音響信号のゲインを調整する入力装置の調整手段と、
前記入力装置の調整手段でゲインが調整された音響信号を当該入力装置に接続されているミキシング装置のすべてへ並列に供給する供給手段と
を備える入力装置。
【請求項３】
１つの入力装置に複数のミキシング装置を並列に接続して構成されるミキシングシステムにおけるミキシング装置であって、
ミキシング装置側ゲイン調整量を設定するミキシング装置の設定手段と、
前記ミキシング装置の設定手段で設定したミキシング装置側ゲイン調整量に基づいて、前記入力装置から供給される音響信号のゲインを調整するミキシング装置の調整手段と、
前記入力装置に複数のミキシング装置が接続されている場合には、前記ミキシング装置の設定手段で設定したミキシング装置側ゲイン調整量を、前記入力装置に供給することなく、前記ミキシング装置の調整手段に供給し、前記入力装置に他のミキシング装置が接続されていない場合には、前記ミキシング装置の設定手段で設定したミキシング装置側ゲイン調整量を、前記ミキシング装置の調整手段に供給することなく、前記入力装置へ供給するゲイン調整量供給手段と、
前記入力装置に複数のミキシング装置が接続されている場合には、前記調整手段によってゲインが調整された音響信号に対してミキシング処理を行い、前記入力装置に他のミキシング装置が接続されていない場合には、前記調整手段によるゲインの調整を行うことなく、前記入力装置から供給される音響信号に対してミキシング処理を行うミキシング手段と
を備えることを特徴とするミキシング装置。
【発明の詳細な説明】
【技術分野】
【０００１】
この発明は、オーディオ信号のミキシングを行うディジタルミキシング装置に関し、また、１つの入力装置に複数のミキシング装置を並列に接続して構成されるミキシングシステムに関する。
【背景技術】
【０００２】
従来から、複数の入力チャンネル毎に入力されるアナログオーディオ信号を、ディジタル信号に変換して、ディジタル処理するディジタルミキサーが知られる。このタイプのディジタルミキサーは、一般に、複数チャンネルのアナログ入力信号を入力して適宜振幅レベル調整すると共にディジタル信号に変換する機能を有する入力器と、変換されたディジタル信号をミキシング処理するディジタル信号処理装置（ＤＳＰ：ディジタルシグナルプロセッサ）と、該ＤＳＰにおけるミキシング処理に関する各種操作を行う操作部（コンソール）と、該ＤＳＰでミキシング処理された信号を出力する出力器とで構成され、これらの構成要素は、夫々ユニット化されていて相互に接続及び切り離しが可能である。ここで、ＤＳＰと操作部（以下、両者を合わせて編集器と称する）及び出力器からなる系列を複数系列併設し、これに一つの入力器を接続することで、該１つの入力器から供給される入力信号を、該複数の編集器に対して並列的に分配してミキシング処理を行わせる接続形態が可能である。この場合、複数の編集器の各々では、それぞれの用途に応じて異なるミキシング処理を行い、多様なミキシング出力信号を得ることができる。
ところで、入力器では、入力信号（アナログ信号）の入力ゲインの調整を行い、ゲイン調整された後の信号を編集器に供給する。この入力器での入力ゲイン調整量（振幅調整量）は、編集器からのゲイン調整量の指示により設定される。編集器では、入力器から入力される信号が、音量調整操作子の所定の設定基準位置（ノミナルレベル）において適切な振幅値で入力されるよう、入力器のゲイン調整量を決定する。ここで、前述のように１つの入力器に対して複数の編集器が接続される場合は、従来は、前記複数の編集器のうち任意の１台の編集器だけが代表的に入力器でのゲイン調整量を設定することができた。
【発明の開示】
【発明が解決しようとする課題】
【０００３】
上述のように、従来は、１つの入力器に対して複数の編集器が接続される場合であっても、入力器のゲイン調整が行えるのは１つの編集器のみだったので、複数の編集器全てに対して、或る１つの編集器によって設定された一律なゲイン調整量で入力信号が供給されていた。しかしながら、複数の編集器は、各々の出力信号の用途に応じて種々の異なるミキシング処理を行うため、各編集器毎のミキシング処理態様に応じて、入力信号の最適なゲイン調整量が異なり、或る編集器における最適なゲイン調整量が、そのまま他の編集器においても適切なゲイン調整量であるとは限らない。従って、複数の編集器の各々に入力される入力信号のゲイン調整量は、個々の編集器毎に独立して決定できることが望ましい。
【０００４】
この発明は、上述の点に鑑みてなされたもので、１つの入力器に対して複数の編集器（ミキシング装置）を並列的に接続した場合でも、各編集器（ミキシング装置）毎に、入力信号に対するゲイン調整を独立に行えるようにすることを目的とする。
【課題を解決するための手段】
【０００５】
この発明に係るミキシングシステムは、１つの入力装置に複数のミキシング装置を並列に接続して構成されるミキシングシステムであって、前記入力装置は、入力装置側ゲイン調整量を設定し、且つ、当該入力装置に複数のミキシング装置が接続されたときに前記設定した入力装置側ゲイン調整量をリセットする入力装置の設定手段と、前記入力装置の設定手段で設定した入力装置側ゲイン調整量に基づいて、当該入力装置に入力される音響信号のゲインを調整する入力装置の調整手段と、前記入力装置の調整手段でゲインが調整された音響信号を当該入力装置に接続されているミキシング装置のすべてへ並列に供給する供給手段とを備え、前記ミキシング装置は、ミキシング装置側ゲイン調整量を設定するミキシング装置の設定手段と、前記ミキシング装置の設定手段で設定したミキシング装置側ゲイン調整量に基づいて、前記入力装置の供給手段によって供給される音響信号のゲインを調整するミキシング装置の調整手段と、前記入力装置に複数のミキシング装置が接続されている場合には、前記ミキシング装置の設定手段で設定したミキシング装置側ゲイン調整量を、前記入力装置に供給することなく、前記ミキシング装置の調整手段に供給し、前記入力装置に他のミキシング装置が接続されていない場合には、前記ミキシング装置の設定手段で設定したミキシング装置側ゲイン調整量を、前記ミキシング装置の調整手段に供給することなく、前記入力装置に供給するゲイン調整量供給手段と、
前記入力装置に複数のミキシング装置が接続されている場合には、前記ミキシング装置の調整手段によってゲインが調整された音響信号に対してミキシング処理を行い、前記入力装置に他のミキシング装置が接続されていない場合には、前記ミキシング装置の調整手段によるゲインの調整を行うことなく、前記入力装置の供給手段から供給される音響信号に対してミキシング処理を行うミキシング手段と
を備える。
これによれば、入力装置に複数のミキシング装置が接続されている場合には、入力装置の設定手段に設定された入力装置側ゲイン調整量がリセットされるので、入力装置の調整手段から出力される音響信号はゲインが調整されないオリジナルな状態となる。供給手段は、入力装置の調整手段でゲインが調整された音響信号を、当該入力装置に接続されているミキシング装置のすべてへ並列に供給するものであるから、入力装置に複数のミキシング装置が接続されている場合には、該複数のミキシング装置の各々に対して、ゲインが調整されないオリジナルな音響信号を並列に供給する。よって、ミキシング装置の調整手段は、入力装置においてゲインが調整されないオリジナルな状態の音響信号に対して、ミキシング装置の設定手段で設定したミキシング装置側ゲイン調整量に基づくゲインの調整を施すことができる。従って、ミキシング装置のミキシング手段は、当該ミキシング装置に最適なミキシング装置側ゲイン調整量に基づきゲインが調整された音響信号に対してミキシング処理を行うことができる。一方、入力装置に他のミキシング装置が接続されていない場合、すなわち、入力装置に１台のミキシング装置しか接続されていない場合には、入力装置の調整手段が音響信号に対するゲインの調整を行い、ミキシング装置の調整手段はゲインの調整を行わない。このとき、入力装置には、該１台のミキシング装置の設定手段で設定したミキシング装置側ゲイン調整量が供給され、入力装置の設定手段は該供給されたミキシング装置側ゲイン調整量を入力装置側ゲイン調整量として設定する。従って、前記１台のミキシング装置のミキシング手段は、結果的に、当該ミキシング装置の設定手段で設定したミキシング装置側ゲイン調整量に基づきゲインが調整された音響信号に対してミキシング処理を行うことができる。
【０００６】
また、この発明に係る入力装置は、１つの入力装置に複数のミキシング装置を並列に接続して構成されるミキシングシステムにおける入力装置であって、入力装置側ゲイン調整量を設定し、且つ、当該入力装置に複数のミキシング装置が接続されたときに前記設定した入力装置側ゲイン調整量をリセットする入力装置の設定手段と、前記入力装置の設定手段で設定した入力装置側ゲイン調整量に基づいて、当該入力装置に入力される音響信号のゲインを調整する入力装置の調整手段と、前記入力装置の調整手段でゲインが調整された音響信号を当該入力装置に接続されているミキシング装置のすべてへ並列に供給する供給手段とを備える入力装置。
これによれば、入力装置に複数のミキシング装置が接続されたミキシングシステムにおいては、入力装置の設定手段に設定された入力装置側ゲイン調整量がリセットされるので、入力装置の調整手段から出力される音響信号はゲインが調整されないオリジナルな状態となる。また、供給手段によって、入力装置の調整手段でゲインが調整された音響信号を入力装置に接続されているミキシング装置のすべてへ並列に供給することで、複数のミキシング装置に対して共通の（同一の）音響信号を供給することができる。従って、入力装置に複数のミキシング装置が接続されている場合には、入力装置はゲインが調整されないオリジナルな音響信号を音響信号を、当該入力装置に接続されている複数のミキシング装置のすべてへ並列に供給することができる。
【０００７】
また、この発明に係るミキシング装置は、１つの入力装置に複数のミキシング装置を並列に接続して構成されるミキシングシステムにおけるミキシング装置であって、ミキシング装置側ゲイン調整量を設定するミキシング装置の設定手段と、前記ミキシング装置の設定手段で設定したミキシング装置側ゲイン調整量に基づいて、前記入力装置から供給される音響信号のゲインを調整するミキシング装置の調整手段と、前記入力装置に複数のミキシング装置が接続されている場合には、前記ミキシング装置の設定手段で設定したミキシング装置側ゲイン調整量を、前記入力装置に供給することなく、前記ミキシング装置の調整手段に供給し、前記入力装置に他のミキシング装置が接続されていない場合には、前記ミキシング装置の設定手段で設定したミキシング装置側ゲイン調整量を、前記ミキシング装置の調整手段に供給することなく、前記入力装置へ供給するゲイン調整量供給手段と、前記入力装置に複数のミキシング装置が接続されている場合には、前記調整手段によってゲインが調整された音響信号に対してミキシング処理を行い、前記入力装置に他のミキシング装置が接続されていない場合には、前記調整手段によるゲインの調整を行うことなく、前記入力装置から供給される音響信号に対してミキシング処理を行うミキシング手段とを備える。
これによれば、入力装置に複数のミキシング装置が接続されたミキシングシステムにおいては、ミキシング装置の調整手段は、入力装置においてゲインが調整されないオリジナルな状態の音響信号に対して、ミキシング装置の設定手段で設定したミキシング装置側ゲイン調整量に基づくゲインの調整を施すことができる。従って、ミキシング装置のミキシング手段は、当該ミキシング装置に最適なミキシング装置側ゲイン調整量に基づきゲインが調整された音響信号に対してミキシング処理を行うことができる。一方、入力装置に他のミキシング装置が接続されていない場合、すなわち、入力装置に１台のミキシング装置しか接続されていない場合には、ミキシング装置の設定手段で設定したミキシング装置側ゲイン調整量を入力装置に供給し、入力装置において、該供給されたミキシング装置側ゲイン調整量に基づき音響信号に対するゲイン調整が行われる。このとき、ミキシング装置の調整手段はゲインの調整を行わない。従って、ミキシング装置のミキシング手段は、結果的に、ミキシング装置の設定手段で設定したミキシング装置側ゲイン調整量に基づきゲインが調整された音響信号に対してミキシング処理を行うことができる。
【０００８】
この発明は、装置の発明として構成し、実施することができるのみならず、方法の発明として構成し実施してもよく、また、本発明はコンピュータまたはＤＳＰ等のプロセッサのプログラムの形態で実施することができるし、そのようなプログラムを記憶した記録媒体の形態で実施してもよい。
【発明の効果】
【０００９】
この発明によれば、１つの入力装置に対して複数のミキシング装置が並列的に接続された場合であっても、前記入力装置を介して個々のミキシング装置に供給される入力信号のゲイン調整を、個々のミキシング装置にて独立に行うことができるので、個々のミキシング装置に対して最も適切にゲイン調整された入力信号を供給することができるという優れた効果を奏する。すなわち、入力装置に複数のミキシング装置を接続して構成されるミキシングシステムにおいては、入力装置は音響信号に対するゲインの調整を行わず、各ミキシング装置において独自に音響信号に対するゲイン調整量の設定と該設定したゲイン調整量に基づくゲインの調整を行うことができるという優れた効果を奏する。
【発明を実施するための最良の形態】
【００１０】
以下、添付図面を参照してこの発明の一実施例について説明する。図１は、この発明の一実施例に係るディジタルミキシング装置（編集器）を複数接続してなるミキシングシステムの構成例を示すブロック図であり、図２は、図１に示す１つの編集器のハード構成例を示す。
【００１１】
図１において、１つの入力器１０に対して、複数（図において３つ）の編集器２０ａ，２０ｂ，２０ｃが並列的に接続されており、各編集器２０ａ，２０ｂ，２０ｃに対して夫々出力器３０ａ，３０ｂ，３０ｃが接続される。ここで「編集器」とは、ＤＳＰによるミキシング処理機能とミキシング用編集操作手段による編集操作機能とを含むものであり、要するに「ミキシング装置」に相当する。すなわち、編集器２０ａ〜２０ｃは、ユーザがミキシングに関する各種操作を行い、該各種操作に応じた信号処理を制御することで、入力されたディジタル信号のミキシングを行う装置（ミキシング装置）である。なお、図１における入力器、編集器、出力器等の各ブロックは、それぞれユニット化されており、ユーザは必要に応じて任意の数の編集器ユニットを並列接続してシステム構成することができる。更に、編集器ユニットは、前述したようにＤＳＰユニットと操作部ユニットに分けられていてよい。
入力器１０は、所定の複数チャンネルのアナログオーディオ信号をそれぞれ外部から入力するためのものであり、入力された各チャンネル毎のアナログオーディオ信号の入力ゲインの調整をするためのヘッドアンプと、該ヘッドアンプから出力される各チャンネル毎のアナログオーディオ信号（入力信号）をディジタル信号に変換するＡＤコンバータとを具える。入力器１０から出力される複数チャンネルの入力信号は、該入力器１０に対して並列接続された各編集器２０ａ〜２０ｃに並列的に分配・供給される。各出力器３０ａ〜３０ｃは、それぞれ所定の１乃至複数の出力チャンネルを有し、各々が接続された編集器２０ａ〜２０ｃから該出力チャンネルに分配されたミキシング出力信号（ディジタル信号）をアナログオーディオ信号に変換するＤＡコンバータを具える。
【００１２】
複数の編集器２０ａ〜２０ｃの各々は、１つの入力器１０から入力された共通の入力信号（ディジタル信号）に対して、各々のミキシング出力信号の用途に応じて異なる種々のミキシング処理を施すように設定できる。前記各々のミキシング出力信号の用途とは、例えば、コンサート会場等において使用する場合は、演奏音を演奏者側に返すモニタ用の出力信号、演奏音全体をコンサート会場内等に出力する再生用の出力信号、録音するための録音用の出力信号等である。
【００１３】
各編集器２０ａ〜２０ｃの一例は、図２に示すように、ＣＰＵ１に対して、通信バス１Ｂを介して、ＲＯＭ２、ＲＡＭ３、信号処理回路（ＤＳＰ）４、操作子検出回路５及び表示制御回路６が接続されて成る。操作子検出回路５には、フェーダやスイッチ等の操作子群を含む操作部（コンソール）７が接続される。信号処理回路４（ＤＳＰ）には、入手出力インターフェース（入出力Ｉ／Ｆ）８を介して入力器１０（図１参照）からディジタル信号が入力される。ここで、信号処理回路４でのミキシング処理の設定（編集操作）は、操作者が操作部７を操作することで行われる。信号処理回路４は、操作部７での操作内容に基づいたミキシング処理を実行し、その結果を、入手出力Ｉ／Ｆ８を介して対応する出力器３０ａ〜３０ｃ（図１参照）に供給する。また、表示制御回路６に接続された表示部９は、ＣＰＵ１の制御に従って当該編集器の様々な動作状況を表示するのに用いる。
【００１４】
なお、ＣＰＵ１により実行される制御プログラム等は、ＲＯＭ２に記憶されたもののみならず、ハードディスクやＣＤ−ＲＯＭ等の外部記憶媒体に記憶されたものを利用すること、あるいは、図示しない通信インターフェースを介して適宜のサーバコンピュータからダウンロードし、図示しないハードディスク装置（ＨＤＤ）等に保存したものを利用することも可能である。この場合、該制御プログラム等は、該プログラムを実行すべき時にＲＡＭ３に転送されてＣＰＵ１の制御の下で実行される。これにより、各種プログラムの追加やバージョンアップ等が容易に行える。
【００１５】
次に、この発明に係る入力ゲイン調整のために信号処理回路（ＤＳＰ）４により実行されるプログラムの第１の実施形態の一例について、図３を参照して説明する。なお、図３に示す機能ブロック図において、ヘッドアンプ１１及びＡＤ変換部１２を含む部分が、図１に示す入力器１０に相当する。また、図３において、一点鎖線で示すブロック２０ａ，２０ｂは、入力器１０に対して並列接続された個々の編集器２０ａ，２０ｂで行われる処理動作を機能的に示すものである。ＤＡ変換部３１ａ，３１ｂは各編集器２０ａ，２０ｂに接続された出力器３０ａ，３０ｂに含まれるものである。
ここで、ＤＳＰにより実行されるミキシング処理の手順について、編集器２０ａでの処理を一例にして簡単に説明しておくと、外部から所定の複数チャンネル毎に入力されたアナログオーディオ信号は、ヘッドアンプ１１を経由して、ＡＤ変換部１２においてディジタル信号に変換された後、ＤＳＰ４ａに供給される。ＤＳＰ４ａでは、複数チャンネル毎の入力信号に対して、操作部７ａで行われる編集操作に基づきミキシング処理が行われる。そして、ＤＡ変換部３１ａでは、ＤＳＰ４ａから供給されたミキシング出力信号（ディジタル信号）をアナログ信号に変換して出力する。
【００１６】
入力器１０のヘッドアンプ１１では、所定の複数チャンネル毎に入力されるアナログオーディオ信号に対して入力ゲインの調整が可能であるが、この発明によれば、以下に詳しく説明するように、個々の編集器２０ａ〜２０ｃにおいて、入力器１０のヘッドアンプ１１での入力ゲインの調整を実質的に無効にし、その替わりに、入力ゲインの調整を個々の編集器２０ａ〜２０ｃにて独立して行うことができる。このような編集器２０ａ〜２０ｃであれば、１つの入力器１０に対して複数が並列接続された場合であっても、各編集器２０ａ〜２０ｃ毎に、入力信号に対するゲイン調整を独立に行えるようになる。
【００１７】
図３に示す第１の実施例では、ヘッドアンプ１１に接続された複数の編集器２０ａ〜２０ｃのうちの所定の１つ（図示の例では２０ａ）が、従来と同様に入力器１０のヘッドアンプ１１での入力ゲイン調整を専ら行う。すなわち、この所定の編集器２０ａの操作部７ａでは、入力器１０のヘッドアンプ１１に対するゲイン調整の指示操作を行うことができ、入力器１０のヘッドアンプ１１では、該指示操作に基づき入力信号に対するゲイン調整を実施する。具体的には、指示操作により発生するゲイン調整量をヘッドアンプ１１のゲインとして設定する。よって、この所定の編集器２０ａのＤＳＰ４ａにおいてミキシング処理を施す信号としては、入力器１０のヘッドアンプ１１にてゲイン調整が実施された信号を用いてよい。すなわち、これにより該編集器２０ａで独自の入力ゲイン調整が行えることになる。
なお、入力器１０のヘッドアンプ１１での入力ゲイン調整を行いうる所定の１つの編集器２０ａの決定方法は、例えば、入力器１０に接続された複数の編集器の中からユーザが任意に選択する方法や、入力器１０に最初に接続されたものが自動的に選択される方法等、どのような方法であってもよい。
【００１８】
一方、上記所定の編集器２０ａ以外の編集器２０ｂ，２０ｃでは、入力器１０を介して供給される入力信号のゲインが既に他の編集器２０ａによって調整されてしまっているので、以下に述べる手順により必要な修正を行うことにより、独自の入力ゲイン調整を行う。なお、図３では便宜上編集器２０ｂについて図示し、以下編集器２０ｂについて説明するが、図示を省略した編集器２０ｃも２０ｂと同一構成である。編集器２０ｂにおいて、修正部２５では、入力器１０のヘッドアンプ１１により施されたゲイン調整の設定値データを取得する。この設定値データとは、所定の編集器２０ａにより設定されたゲイン調整量を表すデータである。修正部２５において、該取得した設定値データに応じて、当該編集器２０ｂに入力された各チャンネル毎の入力信号に対して、ヘッドアンプ１１により施されたゲイン調整をキャンセルするよう、前記各チャンネル毎に入力信号のレベルを補正する。これにより、修正部２５から出力される各チャンネル毎の入力信号のゲインは、入力器１０のヘッドアンプ１１で他の編集器２０ａによりゲイン調整される以前のオリジナルな状態（所定の編集器２０ａによりゲインが調整される前の状態）に修正（リセット）される。
修正部２５では、入力器１０のヘッドアンプ１１において入力ゲインの調整が実施される毎に、すなわち、前記所定の編集器２０ａの操作部７ａからのゲイン調整の指示操作が行われる毎に、最新の設定値データを取得するものとする。この取得方法は、ヘッドアンプ１１にてゲイン調整が変更される度に、最新の設定内容を取得できる方法でありさえすればよく、例えば、ゲイン調整が変更される度にヘッドアンプ１１における最新のゲイン調整設定内容を該ヘッドアンプ１１から取得する方法や、或いは、前記所定の編集器２０ａにおいてゲイン調整操作が行われた時に、その操作量を示すデータをゲイン調整量の設定値データとして該所定の編集器２０ａから他の編集器２０ｂ，２０ｃへ送信し（図３において点線で示すライン）これを各編集器２０ｂ，２０ｃで取得する方法等であってよい。
【００１９】
編集器２０ｂにおいては、当該編集器２０ｂで独自のゲイン調整を行うためにディジタルヘッドアンプ２６が設けられており、また、操作部（コンソール）７ｂにおける所定の入力ゲイン調整用操作子を操作者が操作することにより、該編集器２０ｂに独自の入力ゲイン調整量の設定を行うことができる。該ディジタルヘッドアンプ２６では、前記修正部２５から出力される各チャンネル毎の入力信号（他の編集器２０ａによるゲイン調整をキャンセルした信号）に対して、自己の操作部７ｂで行われた入力ゲイン調整の設定操作に基づき、当該編集器２０ｂに独自のゲイン調整を実施する。そうして、編集器２０ｂのＤＳＰ４ｂでは、ディジタルヘッドアンプ２６にて独自にゲイン調整が実施された入力信号を、操作部７ｂでの各種編集操作に基づきミキシング処理できる。なお、ディジタルヘッドアンプ２６でのゲイン調整は、複数チャンネル毎に入力されたされた各ディジタル信号に対して夫々独立して実施できる。
従って、この実施例によれば、図１に示したように、１つの入力器１０に対して複数の編集器２０ａ〜２０ｃを並列的に接続された場合であっても、入力器１０のヘッドアンプ１１での入力ゲイン調整を行いうる所定の１つの編集器２０ａ以外の編集器２０ｂ，２０ｃにおいても、上述の修正部２５での修正処理と、ディジタルィジタルヘッドアンプ２６で実施する独自の入力ゲイン調整とにより、各編集器２０ｂ，２０ｃ毎に、入力信号に対するゲイン調整を独立に行えるようになる。
【００２０】
なお、前述の修正部２５で行う修正とディジタルヘッドアンプ２６で行うゲイン調整のアルゴリズムは、上述の例に限らない。例えば、ヘッドアンプ１１または編集器２０ａから取得したゲイン調整量の設定値データに基づき自己の操作部７ｂで設定された入力ゲイン調整の設定値データを修正し、修正した自己の設定値データに応じて入力器１０からの入力信号のゲインを調整するようにしてもよい。
なお、図３において、編集器２０ｂにおける修正部２５の修正処理とディジタルヘッドアンプ２６のゲイン調整処理は、具体的には自己のＤＳＰ４ｂを使用して所定のマイクロプログラムを実行することで実施される。しかしこれに限らず、修正部２５とディジタルヘッドアンプ２６の機能を実現する専用のハードウェア装置によって構成することも可能であり、あるいは、編集器２０ｂのＣＰＵ１（図２）によるソフトウェア処理によっても実現可能である。
【００２１】
次に、この発明に係る入力ゲイン調整のためのプログラムの第２の実施形態の一例について、図４を参照して説明する。図４において、前述の図３に示したものと同様の処理内容を示す各部については、同じ符号を用いて、且つ、図３における説明を以て、その動作処理の説明を省略する。
前述の図３に示す第１の実施例では、所定の１つの編集器２０ａだけが入力器１０のヘッドアンプ１１での入力ゲイン調整が可能であったが、この第２の実施例では、入力器１０に接続された複数の編集器２０ａ〜２０ｃの何れによってもヘッドアンプ１１でのゲイン調整を実施させないようにすることで、入力器１０のヘッドアンプ１１での入力ゲインの調整は無効にされる。その代わりに各編集器２０ａ〜２０ｃ毎に夫々ディジタルヘッドアンプ２６ａ，２６ｂを有しており、夫々独自に入力ゲインの調整が行えるようになっている。
【００２２】
図４に示す実施例において、入力器１０に接続される複数の編集器２０ａ〜２０ｃの内部の機能ブロック構成は夫々同一であってよいため、一つの編集器２０ａにつきその特徴的構成を説明する。編集器２０ａには、当該編集器２０ａで独自のゲイン調整を行うためにディジタルヘッドアンプ２６ａが設けられており、入力器１０から供給される各チャンネル毎の入力信号を該ディジタルヘッドアンプ２６ａに入力し、切換部２７ａを介して自己の操作部（コンソール）７ａから与えられる入力ゲイン調整用の設定値データに応じて、該編集器２０ａに独自の入力ゲイン調整を、該ディジタルヘッドアンプ２６ａで行うことができるようになっている。
切換部２７ａは、入力器１０に対して複数の編集器２０ａ〜２０ｃが接続されている場合は、操作部７ａでの操作に応じて設定された入力ゲイン調整用の設定値データを、自己のディジタルヘッドアンプ２６ａに供給し、該ディジタルヘッドアンプ２６ａを使用して独自の入力ゲイン調整が行われるようにする。この場合、操作部７ａでの操作に応じて設定された入力ゲイン調整用の設定値データは、入力器１０のヘッドアンプ１１には供給されない。他の編集器２０ｂの切換部２７ｂも同様に動作する。これにより、入力器１０に対して複数の編集器２０ａ〜２０ｃが接続されている場合は、入力器１０のヘッドアンプ１１にはどの編集器２０ａ〜２０ｃからも入力ゲイン調整用の設定値データが与えられず、入力器１０から出力される各チャンネル毎の入力信号は、ヘッドアンプ１１でゲイン調整されることなく、オリジナルレベルのまま、各編集器２０ａ〜２０ｃに供給される。こうして、入力器１０による入力信号のゲイン調整が無効にされ、各編集器２０ａ〜２０ｃ毎に独立した入力ゲイン調整が可能である。
一方、切換部２７ａは、入力器１０に対して自己の編集器２０ａだけが接続されている場合は、操作部７ａでの操作に応じて設定された入力ゲイン調整用の設定値データを、自己のディジタルヘッドアンプ２６ａに供給することなく、入力器１０のヘッドアンプ１１に供給する。この場合は、従来同様に入力器１０のヘッドアンプ１１で各チャンネル毎の信号のゲイン調整が行われる。
【００２３】
次に、図４の動作例について説明する。先ず、１台の編集器２０ａが入力系に接続されたとする。編集器２０ａでは、所定のクロックタイミング毎に、現在入力器１０に接続している編集器の数が、１つであるか複数であるかを検出・走査し、その結果、接続している編集器の数が１つ、すなわち自己のみであった場合、前述の通り、切換部２７ａにより、操作部７ａからのゲイン調整の設定／指示操作によって入力器１０のヘッドアンプ１１の入力ゲイン調整が行えるよう制御し、従来と同様に、ヘッドアンプ１１で入力ゲイン調整を実施する。
この状態で更に新規の編集器２０ｂが入力器１０に接続されると、編集器２０ａでの走査の結果、複数の編集器が接続されているが検出され、切換部２７ａにより、自己のディジタルヘッドアンプ２６ａを使用した入力ゲイン調整が行われるようにする。このとき、ヘッドアンプ１１において設定されているゲイン調整はリセットされ、入力器１０からは、ヘッドアンプ１１でのゲイン調整が実施されていないオリジナルなレベルで各チャンネルの入力信号が出力されるようになる。なお、リセットの前に、ヘッドアンプ１１での現在のゲイン調整の設定値が、編集器２０ａのディジタルヘッドアンプ２６ａでのゲイン調整の設定値として設定されるようにするとよい。ヘッドアンプ１１でのゲイン調整量は、編集器２０ａで設定した値なので、ディジタルヘッドアンプ２６ａにおいても同じ設定値を適用するのが望ましいからである。
【００２４】
他方、編集器２０ｂにおいて、切換部２７ｂでは、入力器に対して既に他の編集器が接続されていることが検知されるので、自己のディジタルヘッドアンプ２６ｂにて入力信号のゲイン調整を実施するよう制御する。ここで、前述の通りヘッドアンプ１１でのゲイン調整はリセットされるので、ディジタルヘッドアンプ２６ｂに対して供給される入力信号は、ヘッドアンプ１１でのゲイン調整が実施されていない状態で、つまりオリジナルな入力信号のレベルで、供給される。ディジタルヘッドアンプ２６ｂでは、ヘッドアンプ１１でのゲイン調整が実施されていない入力信号に対して、操作部７ｂからのゲイン調整の指示操作に基づき独自の入力ゲイン調整を実施する。
【００２５】
なお、図４において、各編集器２０ａ，２０ｂにおける切換部２７ａ，２７ｂの切換処理とディジタルヘッドアンプ２６ａ，２６ｂのゲイン調整処理は、具体的には自己のＤＳＰ４ａ，４ｂを使用して所定のマイクロプログラムを実行することで実施される。しかしこれに限らず、切換部２７ａ，２７ｂとディジタルヘッドアンプ２６ａ，２６ｂの機能を実現する専用のハードウェア装置によって構成することも可能であり、あるいは、各編集器２０ａ，２０ｂのＣＰＵ１（図２）によるソフトウェア処理によっても実現可能である。
【００２６】
なお、入力器１０のヘッドアンプ１１での入力ゲインの調整を無効にする方法は、上記第１及第２実施例に限らず、ヘッドアンプ１１での入力ゲイン調整が実施されていない（無効にされた）オリジナルな状態の入力信号が個々の編集器に供給される方法でありさえすればよい。
【００２７】
更に、上述の図３及び図４に示す実施例の変更例として、入力器１０のヘッドアンプ１１での入力ゲインの調整を無効にするに際して、ヘッドアンプ１０による入力信号のゲイン調整を無効にするか或いは有効にするか（つまり個々の編集器での独立したゲイン調整を行わない）についての選択・設定が、複数チャンネルの各チャンネル毎に個別に行えるようにしてもよい。
【図面の簡単な説明】
【００２８】
【図１】この発明の一実施例に係るディジタルミキサーを複数接続してなるシステムの構成例を示すブロック図。
【図２】同実施例に係るディジタルミキサー（編集器）のハード構成例を示すブロック図。
【図３】同実施例に係る入力ゲイン調整の動作の一例を説明するためのブロック図。
【図４】同実施例に係る入力ゲイン調整の別の動作の一例を説明するためのブロック図。
【符号の説明】
【００２９】
１０  入力器（入力装置），２０ａ〜２０ｃ  編集器（ミキシング装置），３０ａ〜３０ｃ  出力器，１  ＣＰＵ，２  ＲＯＭ，３  ＲＡＭ，４  信号処理回路（ＤＳＰ），５  操作子検出回路，６  表示制御回路，７  操作部，８  入出力インターフェース（入出力Ｉ／Ｆ），９  表示部
【図１】
2008017538.tif 000003
【図２】
2008017538.tif 000004
【図３】
2008017538.tif 000005
【図４】
2008017538.tif 000006